(57)【要約】【課題】  基礎内部及び基礎上の建物の断熱性を確保するに際し、建物の敷地対応性や外観を向上すること。【解決手段】  鋼製基礎２２の外側に化粧パネル３０を設けた化粧パネル付き基礎２０において、鋼製基礎２２の内側に基礎部断熱材５０を設けたもの。【選択図】  図１
2006322280.tif 000002
【特許請求の範囲】
【請求項１】
鋼製基礎の外側に化粧パネルを設けた化粧パネル付き基礎において、
鋼製基礎の内側に基礎部断熱材を設けたことを特徴とする化粧パネル付き基礎。
【請求項２】
前記鋼製基礎が建物の柱脚直下に設けられる束基礎であり、束基礎の内側に基礎部断熱材を設けるとともに、相隣る束基礎同士の間に立上り部断熱材を設け、基礎部断熱材と立上り部断熱材を隙間なく接続してなる請求項１に記載の化粧パネル付き基礎。
【請求項３】
前記建物の柱脚に接合される床梁の直下に前記立上り部断熱材を設け、床梁の内側に床梁断熱材を設け、柱脚の内側に柱脚断熱材を設け、柱脚断熱材を基礎部断熱材と立上り部断熱材の上面に隙間なく接続してなる請求項２に記載の化粧パネル付き基礎。
【請求項４】
前記化粧パネルと鋼製基礎の間に湿気排出用の間隙を設けた請求項１〜３のいずれかに記載の化粧パネル付き基礎。
【請求項５】
請求項１〜４のいずれかに記載の化粧パネル付き基礎を用いた建物。
【発明の詳細な説明】
【技術分野】
【０００１】
本発明は化粧パネル付き基礎及び建物に関する。
【背景技術】
【０００２】
ユニット建物等の建物用化粧パネル付き基礎として、特許文献１に記載の如く、鋼製基礎の外側に断熱材を介して化粧パネルを設けたものがある。化粧パネルが断熱材を伴なうことにより、建物の断熱を行なうことができる。
【特許文献１】特開2005-23595
【発明の開示】
【発明が解決しようとする課題】
【０００３】
特許文献１の化粧パネル付き基礎では、化粧パネルが鋼製基礎の外側に断熱材の厚みだけ広がってしまい、敷地対応性や外観が悪い。
【０００４】
本発明の課題は、基礎内部及び基礎上の建物の断熱性を確保するに際し、建物の敷地対応性や外観を向上することにある。
【課題を解決するための手段】
【０００５】
請求項１の発明は、鋼製基礎の外側に化粧パネルを設けた化粧パネル付き基礎において、鋼製基礎の内側に基礎部断熱材を設けたものである。
【０００６】
請求項２の発明は、請求項１の発明において更に、前記鋼製基礎が建物の柱脚直下に設けられる束基礎であり、束基礎の内側に基礎部断熱材を設けるとともに、相隣る束基礎同士の間に立上り部断熱材を設け、基礎部断熱材と立上り部断熱材を隙間なく接続してなるようにしたものである。
【０００７】
請求項３の発明は、請求項２の発明において更に、前記建物の柱脚に接合される床梁の直下に前記立上り部断熱材を設け、床梁の内側に床梁断熱材を設け、柱脚の内側に柱脚断熱材を設け、柱脚断熱材を基礎部断熱材と立上り部断熱材の上面に隙間なく接続してなるようにしたものである。
【０００８】
請求項４の発明は、請求項１〜３のいずれかの発明において更に、前記化粧パネルと鋼製基礎の間に湿気排出用の間隙を設けたものである。
【０００９】
請求項５の発明は、請求項１〜４のいずれかに記載の化粧パネル付き基礎を用いた建物である。
【発明の効果】
【００１０】
（請求項１）
(a)鋼製基礎の内側に基礎部断熱材を設けたことにより、基礎内部及び基礎上の建物の断熱性を確保できる。
【００１１】
(b)鋼製基礎の内側に基礎部断熱材を設けたことにより、化粧パネルを鋼製基礎の外側に広げることがなく、建物の敷地対応性や外観を向上できる。
【００１２】
（請求項２）
(c)鋼製基礎を構成する束基礎の内側に基礎部断熱材を設けるとともに、相隣る束基礎同士の間に立上り部断熱材を設け、基礎部断熱材と立上り部断熱材を隙間なく接続した。従って、基礎内部及び基礎上の建物の断熱性を確保できる。
【００１３】
（請求項３）
(d)建物ユニットの柱脚に接合される床梁の直下に立上り部断熱材を設け、床梁の内側に床梁断熱材を設け、柱脚の内側に柱脚断熱材を設け、柱脚断熱材を基礎部断熱材と立上り部断熱材の上面に隙間なく接続した。従って、束基礎と柱脚と床梁のそれぞれの内側に設ける断熱材を互いに切れ目なく設け、基礎内部及び基礎上の建物の断熱性を確保できる。
【００１４】
（請求項４）
(e)基礎部断熱材の外側に鋼製基礎があるため、低温時に鋼製基礎が冷やされるが、化粧パネルと鋼製基礎の間に湿気排出用の間隙を設けたことにより、鋼製基礎に結露することを防止できる。
【００１５】
（請求項５）
(f)建物において上述(a)〜(e)を実現できる。
【発明を実施するための最良の形態】
【００１６】
図１は化粧パネル付き基礎を示す斜視図、図２は化粧パネル付き基礎に建物ユニットを搭載した状態を示す斜視図、図３は化粧パネルの取付構造を示す断面図、図４は断熱材のための防水構造を示す分解断面図、図５は化粧パネルの上部納まりを示す断面図である。
【実施例】
【００１７】
図１、図２は、建物（ユニット建物）１を複数の建物ユニット１０によって構成するに際し、各建物ユニット１０を支持する化粧パネル付き基礎２０を示すものである。
【００１８】
建物ユニット１０は、図２に示す如く、鋼管製柱１１の柱脚１１Ａに相交差する妻側と桁側の溝形鋼製床梁１２を接合し、柱１１の柱頭に相交差する妻側と桁側の不図示の天井梁を接合した骨組構造体からなる。建物ユニット１０は、床梁１２の上に床材を設け、天井梁の下に天井材を設け、柱１１と床梁１２と天井梁が形成する壁枠の外側に外壁１３を設け（図３〜図５）、内側に内壁を設ける。
【００１９】
基礎２０は、コンクリート製べた基礎２１の上面に、鋼製基礎２２としての束基礎２３をアンカーボルトにて固定して構成したものである。束基礎２３は、建物１を構成する各建物ユニット１０の柱脚直下にのみ設けられる。束基礎２３は、短角柱状の基礎本体２３Ａと、基礎本体２３Ａの相交差する２面の上部から斜め下方に延在する２本の斜材２３Ｂ等から構成される。
【００２０】
基礎２０は、束基礎２３の外側に相交差する妻側と桁側の化粧パネル３０を設ける。化粧パネル３０は、押出し成形セメント板等の防火材からなり、図３に示す如く、べた基礎２１に固定される受け金具３１により下端部を固定され、床梁１２に後述する如くに設けられる上シート受けアングル６１に固定される受け金具３２により上端部を固定される。化粧パネル３０は、束基礎２３にボルト止めされても良い。
【００２１】
基礎２０は、べた基礎２１の上面に平板状の土間部断熱材４０を敷き設け、束基礎２３の基礎本体２３Ａ、斜材２３Ｂに沿う内側にＬ字板状の基礎部断熱材５０を立設し、妻側と桁側のそれぞれにおいて相隣る束基礎２３同士の間（床梁１２の直下）に平板状の立上り部断熱材６０を立設する。基礎部断熱材５０は土間部断熱材４０の隅部上面に隙間なく載置され、立上り部断熱材６０は土間部断熱材４０の外周面に隙間なく添設され、基礎部断熱材５０の鉛直面と立上り部断熱材６０の鉛直面は土間部断熱材４０の外周面の延長上で隙間なく接続される。断熱材４０、５０、６０は、例えばＥＰＳ（発泡ポリエチレン）にて形成される。但し、断熱材４０、５０、６０は、ＧＷ（グラスウール）に替えても良い。
【００２２】
基礎２０は、化粧パネル３０と束基礎２３の間、本実施例では化粧パネル３０と断熱材５０、６０の間に、湿気排出用間隙２４を設ける。この湿気排出用間隙２４は、化粧パネル３０の上端側に設けられる後述の開放口２５により建物１と基礎２０の外部空間に対してのみ連通する。
【００２３】
基礎２０は、床梁１２の内側の溝形断面内に角棒状の床梁断熱材７０を装填され、柱脚１１Ａの内側にＬ字板状の柱脚断熱材８０を添設する。柱脚断熱材８０は、妻側と桁側の床梁１２のそれぞれに装填される床梁断熱材７０に隙間なく接続されるとともに、基礎部断熱材５０と立上り部断熱材６０の各上面に隙間なく接続され、結果として束基礎２３に接する前述の湿気排出用間隙２４を建物１の内部と基礎２０の内側に対して完全に遮断する。断熱材７０、８０は、例えばＧＷにて形成される。
【００２４】
ここで、断熱材４０、５０、６０は、建物１と基礎２０の外部空間に対して完全に防水される。例えば、立上り部断熱材６０のための防水構造は、図４に示す如く、床梁１２の下フランジに固定される上シート受けアングル６１の鉛直面に粘着されて垂れ下がる透湿防水シート６２と、床梁１２の外面に粘着されて透湿防水シート６２の外側に垂れ下がる気密シート６３と、化粧パネル３０のための受け金具３２が固定されるべた基礎２１からシール材６４を介して立上げられる下シート受けアングル６５と、透湿防水シート６２の下端部と下シート受けアングル６５の上端部を粘着する両面ブチルテープ６６とから構成され、これらの各部材により防水膜を形成する。
【００２５】
また、束基礎２３の外側に設けられる化粧パネル３０は、建物ユニット１０の外壁１３の直下にて図３、図５に示す如くの防水構造を付与される。床梁１２の外側に設けられる外壁１３は、防水透湿テープ３２を介して、床梁１２の外面の気密シート６３上に添設されるゴム引き布３４を挟み、このゴム引き布３４を化粧パネル３０の上端面に設けてある複数の通気スペーサ３５の上面に垂れ下げる（図５）。同時に、化粧パネル３０の上端部を覆うように該化粧パネル３０に設けてある水切り３６でゴム引き布３４を外側から覆い、水切り３６の上端部を外壁１３の下端内側に納め、水切り３６の下端部を化粧パネル３０の外側面に臨ませる。
【００２６】
尚、化粧パネル３０の上端面において、複数の通気スペーサ３５が互いになす間隔が、前述の湿気排出用間隙２４のための開放口２５を形成する（図３）。
【００２７】
本実施例によれば以下の作用効果を奏する。
(a)鋼製基礎２２の内側に基礎部断熱材５０を設けたことにより、基礎内部及び基礎上の建物の断熱性を確保できる。
【００２８】
(b)鋼製基礎２２の内側に基礎部断熱材５０を設けたことにより、化粧パネル３０を鋼製基礎２２の外側に広げることがなく、建物の敷地対応性や外観を向上できる。
【００２９】
(c)鋼製基礎２２を構成する束基礎２３の内側に基礎部断熱材５０を設けるとともに、相隣る束基礎２３同士の間に立上り部断熱材６０を設け、基礎部断熱材５０と立上り部断熱材６０を隙間なく接続した。従って、基礎内部及び基礎上の建物の断熱性を確保できる。
【００３０】
(d)建物ユニット１０の柱脚１１Ａに接合される床梁１２の直下に立上り部断熱材６０を設け、床梁１２の内側に床梁断熱材７０を設け、柱脚１１Ａの内側に柱脚断熱材８０を設け、柱脚断熱材８０を基礎部断熱材５０と立上り部断熱材６０の上面に隙間なく接続した。従って、束基礎２３と柱脚１１Ａと床梁１２のそれぞれの内側に設ける断熱材５０、６０、７０、８０を互いに切れ目なく設け、基礎内部及び基礎上の建物の断熱性を確保できる。
【００３１】
(e)基礎部断熱材５０の外側に鋼製基礎２２があるため、低温時に鋼製基礎２２が冷やされるが、化粧パネル３０と鋼製基礎２２の間に湿気排出用の間隙２４を設けたことにより、鋼製基礎２２に結露することを防止できる。
【００３２】
(f)建物１において上述(a)〜(e)を実現できる。
【００３３】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の鋼製基礎は、束基礎と基礎梁からなるものでも良い。
【００３４】
また、本発明の基礎構造は、上記建物ユニットからなる建物に限らず、広く一般の建物に適用できる。
【図面の簡単な説明】
【００３５】
【図１】図１は化粧パネル付き基礎を示す斜視図である。
【図２】図２は化粧パネル付き基礎に建物ユニットを搭載した状態を示す斜視図である。
【図３】図３は化粧パネルの取付構造を示す断面図である。
【図４】図４は断熱材のための防水構造を示す分解断面図である。
【図５】図５は化粧パネルの上部納まりを示す断面図である。
【符号の説明】
【００３６】
１  建物
１０  建物ユニット
１１  柱
１１Ａ  柱脚
１２  床梁
２０  基礎
２２  鋼製基礎
２３  束基礎
２４  湿気排出用間隙
３０  化粧パネル
５０  基礎部断熱材
６０  立上り部断熱材
７０  床梁断熱材
８０  柱脚断熱材
【図１】
2006322280.tif 000003
【図２】
2006322280.tif 000004
【図３】
2006322280.tif 000005
【図４】
2006322280.tif 000006
【図５】
2006322280.tif 000007